(57)【要約】【課題】空の医療用軟質容器への液状物の注入が行い安く、しかも液状物の注入の最中に目盛りが見やすい、医療用軟質容器を提供する。【解決手段】本発明の医療用軟質容器１は、少なくとも２枚の軟質プラスチックシート２ａ，２ｂが貼りあわされることにより形成され、開閉式の開口部４と、液状物を収容するための収容部２１とを含み、少なくとも一方の主面に液状物の量を示す目盛り２ｃが表示された、可撓性袋部材２と、前記可撓性袋部材２に固定された排出用ポート３と、可撓性袋部材の両主面の各々に固定され、固定された前記軟質プラスチックシートとの間に、前記可撓性袋部材２の右側または左側から指を挿入するための貫通路７ａ、７ｂを形成する１対の開閉操作部５ａ，５ｂと、を含む。【選択図】図１
2014094294.tif 000002
【特許請求の範囲】
【請求項１】
少なくとも２枚の軟質プラスチックシートが貼りあわされることにより形成され、開閉式の開口部と、液状物を収容するための収容部とを含み、少なくとも一方の主面に液状物の量を示す目盛りが表示された、可撓性袋部材と、
前記可撓性袋部材に固定された排出用ポートと、
前記可撓性袋部材の両主面の各々に固定され、固定された前記軟質プラスチックシートとの間に、前記可撓性袋部材の右側または左側から指を挿入するための貫通路を形成する１対の開閉操作部と、を含むことを特徴とする医療用軟質容器。
【請求項２】
前記１対の開閉操作部は、各軟質プラスチックシートとの間に、前記開口部の右側または左側から指を挿入するための前記貫通路を形成する請求項１に記載の医療用軟質容器。
【請求項３】
前記１対の開閉操作部の少なくとも一方に、その長手方向が上下方向に向いたスリットまたは孔が形成されている請求項１または２に記載の医療用軟質容器。
【請求項４】
前記可撓性袋部材は、前記開口部よりも上方に配置され、吊り下げ用穴が形成された吊り下げ部をさらに含む請求項１〜３のいずれかの項に記載の医療用軟質容器。
【請求項５】
前記開閉操作部は、各々、前記開口部に固定された請求項１〜４のいずれかの項に記載の医療用軟質容器。
【請求項６】
一方の開閉操作部の上縁部が、前記吊り下げ部に固定された請求項４に記載の医療用軟質容器。
【請求項７】
前記吊り下げ部の前記開口部との境界近傍は、前記開口部よりも折り曲げ容易な材料からなる請求項４または６に記載の医療用軟質容器。
【請求項８】
前記開口部はその両側部に各々まちを有する請求項１〜７のいずれかの項に記載の医療用軟質容器。
【請求項９】
一方の前記まちの前記収容部内に面する面の面積は、他方の前記まちの前記収容部内に面する面の面積よりも小さい請求項８に記載の医療用軟質容器。
【請求項１０】
前記１対の開閉操作部の少なくとも一方の左右方向の幅が、下方に向かって漸次狭くなっている請求項１〜９の何れかの項に記載の医療用軟質容器。
【請求項１１】
前記可撓性袋部材のうちの、前記１対の開閉操作部と上下方向同位置の部分について、
各開閉操作部から前記可撓性袋部材の一方の側縁までの長さの方が、前記可撓性袋部材の他方の側縁までの長さの方が短い請求項１〜１０の何れかの項に記載の医療用軟質容器。
【請求項１２】
請求項１〜１１のいずれかの項に記載の医療用軟質容器を含む栄養供給システム。
【発明の詳細な説明】
【技術分野】
【０００１】
本発明は、医療用軟質容器及びこれを用いた栄養供給システムに関する。
【背景技術】
【０００２】
経口によらずに患者に栄養や薬剤を投与する方法の一例として経腸栄養法又は静脈栄養法が知られている。経腸栄養法では、患者の鼻腔から胃又は十二指腸にまで通されたチューブを介して栄養剤、流動食、又は薬剤などの液状物が投与される。また、静脈栄養法では、患者の静脈に挿入された輸液回路を介してブドウ糖などの栄養成分及び／又は薬剤成分を含む液状物（一般に「輸液」と呼ばれる）が投与される。
【０００３】
経腸栄養法又は静脈栄養法を行う際には、患者に投与する液状物を空の医療用軟質容器に予め注入する作業が必要である。
【０００４】
図２６は、従来の医療用軟質容器の一例の概略構成を示した斜視図であり、図２７は、図２６に示した医療用軟質容器の開口部を片手で把持しつつ、がま口状に開封した様子を示した図であり、図２８は、図２６に示した医療用軟質容器内に液状物を注いでいる様子を示した側面図である。
【０００５】
この医療用軟質容器１００は、収容部３００と、収容部３００内に収納された液状物を取り出すための貫通孔が形成された排出口５００とを備えている。収容部３００は、柔軟な２枚のシートを重ね合わせて、それらの外周縁部をヒートシール（熱接着）により相互に接合してなる袋状物である。排出口５００は収容部３００を構成する上記シートに比べて相対的に硬い樹脂材料からなる。
【０００６】
上記空の医療用軟質容器１００への液状物の注入は以下のようにして行われる。まず、ノッチ４００を始点として、切り取り線８００に沿って開口部７００の上部を切り取った後、ジップ６００の係合を解除する。次いで、図２７に示されるように、開口部７００を片手で把持しつつ、開口部７００を開口する。この時、上記片手の手のひらは、２枚のシートのうちの片方のシートに面する。次いで、図２８に示されるように、他方の手（図示せず）で、薬や栄養剤等の液状物が入った容器２００等を持ち、開口部７００の開口から収容部３００内に液状物を注入する。この時、図２８に示されるように、液状物が入った容器２００の注ぎ口を、上記開口のうちの、２枚のシート間の距離が最も離れた箇所及びその近傍に位置させた状態で液状物を注入すると、注入作業が安定して行える。
【先行技術文献】
【特許文献】
【０００７】
【特許文献１】特開２００７−３１４２４５号公報
【発明の概要】
【発明が解決しようとする課題】
【０００８】
しかし、上記従来の医療用軟質容器１００への液状物の注入作業では、液状物の注入作業の開始から終了まで、開口部７００を片手で把持し、かつ、開口部７００が開口した状態を保持しなければならない。このような非常に不安定な状態で液状物の注入を行うと、医療用軟質容器１００を落としてしまったり、開口部７００の開口状態が保持できなくて液状物をこぼしてしまったりする恐れがある。よって、上記注入作業中に作業者が受ける精神的及び肉体的な負担が大きい。
【０００９】
また、液状物の量を確認するための目盛りが収容部におけるシートの主面に表示されている場合があるが、この場合、図２７及び図２８に示されるような持ち方では目盛りが見づらい。例えば、目盛りが表示されたシートを作業者の正面に向けながら液状物を収容部３００内に注入する場合、目盛りを見ながら液状物を収容部３００内に注ぐためには、片手で把持された開口部７００のうちの親指と接している側を左側、親指以外の指と接している側を右側とすると、右側から液状物を収容部３００内に注ぐ必要がある。しかし、この場合は、液状物の注入作業が行いにくい。
【００１０】
本発明は、空の医療用軟質容器への液状物の注入が行い易く、しかも液状物の注入の最中に目盛りが見やすい、医療用軟質容器を提供する。
【課題を解決するための手段】
【００１１】
本発明の医療用軟質容器は、少なくとも２枚の軟質プラスチックシートが貼りあわされることにより形成され、開閉式の開口部と、液状物を収容するための収容部とを含み、少なくとも一方の主面に液状物の量を示す目盛りが表示された、可撓性袋部材と、前記可撓性袋部材に固定された排出用ポートと、前記可撓性袋部材の両主面の各々に固定され、固定された前記軟質プラスチックシートとの間に、前記可撓性袋部材の右側または左側から指を挿入するための貫通路を形成する１対の開閉操作部と、を含むことを特徴とする。
【００１２】
本発明の栄養供給システムは、本発明の医療用軟質容器を含む。
【発明の効果】
【００１３】
本発明の医療用軟質容器は、可撓性袋部材の両主面の各々に固定され、固定された軟質プラスチックシートとの間に、開口部の右側または左側から指を挿入するための貫通路を形成する開閉操作部を備えているので、空の医療用軟質容器への液状物の注入が行い易く、しかも液状物の注入の最中に目盛りが見やすい。
【図面の簡単な説明】
【００１４】
【図１】図１は、本発明の実施形態１の医療用軟質容器の一例の概略構成を示した斜視図である。
【図２Ａ】図２Ａは、図１に示された医療用軟質容器の正面図である。
【図２Ｂ】図２Ｂは、図１に示された医療用軟質容器の側面図である。
【図３】図３は、図１に示された医療用軟質容器を片手で把持し、その開口部を開口させた状態を示した側面図である。
【図４】図４は、図１に示された医療用軟質容器を片手で把持し、その開口部を開口させた状態を示した他の側面図である。
【図５】図５は、図１に示された医療用軟質容器内に液状物を注いでいる様子を示した正面図である。
【図６】図６は、図１に示された医療用軟質容器を含む経腸栄養供給システムである。
【図７】図７は、本発明の実施形態２の医療用軟質容器の一例の概略構成を示した斜視図である。
【図８】図８は、図７の医療用軟質容器の他の斜視図である。
【図９】図９は、本発明の実施形態３の医療用軟質容器の一例の概略構成を示した斜視図である。
【図１０】図１０は、本発明の実施形態４の医療用軟質容器の一例の概略構成を示した斜視図である。
【図１１Ａ】図１１Ａは、図１０に示された医療用軟質容器の正面図である。
【図１１Ｂ】図１１Ｂは、図１０に示された医療用軟質容器の側面図である。
【図１１Ｃ】図１１Ｃは、図１０に示された医療用軟質容器の背面図である。
【図１２】図１２は、図１０に示された医療用軟質容器を片手で把持し、その開口部を開口させた状態を示した側面図である。
【図１３】図１３は、本発明の実施形態５の医療用軟質容器の一例の概略構成を示した斜視図である。
【図１４Ａ】図１４Ａは、図１３に示された医療用軟質容器の正面図である。
【図１４Ｂ】図１４Ｂは、図１３に示された医療用軟質容器の側面図である。
【図１５】図１５は、図１３に示された医療用軟質容器を片手で把持し、その開口部を開口させた状態を示した斜視図である。
【図１６Ａ】図１６Ａは、本発明の実施形態６の医療用軟質容器の一例の概略構成を示した斜視図である。
【図１６Ｂ】図１６Ｂは、図１６Ａに示された医療用軟質容器の開口部を開口させた状態における開口部を説明する模式平面図である。
【図１７Ａ】図１７Ａは、図１６Ａに示された医療用軟質容器の正面図である。
【図１７Ｂ】図１７Ｂは、図１６Ａに示された医療用軟質容器の側面図である。
【図１８】図１８は、本発明の実施形態６の医療用軟質容器の他の一例の概略構成を示した正面図である。
【図１９】図１９は、本発明の実施形態７の医療用軟質容器の一例の概略構成を示した斜視図である。
【図２０Ａ】図２０Ａは、図１９に示された医療用軟質容器の正面図である。
【図２０Ｂ】図２０Ｂは、図１９に示された医療用軟質容器の側面図である。
【図２１】図２１は、図１９に示された医療用軟質容器を片手で把持し、その開口部を開口させた状態を示した図である。
【図２２】図２２は、本発明の実施形態８の医療用軟質容器の一例の概略構成を示した斜視図である。
【図２３Ａ】図２３Ａは、図２２に示された医療用軟質容器の正面図である。
【図２３Ｂ】図２３Ｂは、図２２に示された医療用軟質容器の側面図である。
【図２３Ｃ】図２３Ｃは、図２２に示された医療用軟質容器の背面図である。
【図２４】図２４は、本発明の実施形態９の医療用軟質容器の一例の概略構成を示した斜視図である。
【図２５Ａ】図２５Ａは、図２４に示された医療用軟質容器の正面図である。
【図２５Ｂ】図２５Ｂは、図２４に示された医療用軟質容器の側面図である。
【図２６】図２６は、従来の医療用軟質容器の一例の概略構成を示した正面図である。
【図２７】図２７は、図２６に示された医療用軟質容器の開口部を片手で把持し、その開口部を開口させた様子を示した図である。
【図２８】図２８は、図２６に示された医療用軟質容器内に液状物を注いでいる様子を示した側面図である。
【発明を実施するための形態】
【００１５】
以下、本発明の医療用軟質容器の一例について図面を用いて説明する。
【００１６】
（実施形態１）
図１は、本発明の実施形態１の医療用軟質容器の一例の斜視図であり、図２Ａは、図１に示された医療用軟質容器の正面図であり、図２Ｂは、図１に示された医療用軟質容器の側面図である。
【００１７】
図１〜図２Ｂに示された医療用軟質容器１は、開閉式の開口部４と、液状物を収容するための収容部２１とを含む、平袋状の可撓性袋部材２と、可撓性袋部材２に固定された排出用ポート３とを備える。可撓性袋部材２は、その開口部４よりも上方に、医療用軟質容器１をスタンド等に吊り下げるための吊り下げ部６を有している。吊り下げ部６は、吊り下げ穴用６ａを有する。
【００１８】
可撓性袋部材２は、例えば、２枚の軟質プラスチックシート２ａ，２ｂを重ね、それらの外周縁部を相互に熱接着（ヒートシール）させることにより形成される。軟質プラスチックシート２ａの主面の外側面には、可撓性袋部材２内に注入される液状物の量を確認するための目盛り２ｃが表示されている。以下、目盛り２ｃが表示された軟質プラスチックシート２ａの主面、すなわち、可撓性袋部材２内に液状物が充填される際に、充填操作を行う作業者と向かい合う面を正面と称することとし、この正面を基準に左右の位置関係を説明する。可撓性袋部材２内に液状物が充填される際、開口部４は収納部２１よりも上に位置する。
【００１９】
排出用ポート３は、例えば、管状である。排出用ポート３は、可撓性袋部材２内外の連通を可能とするように、上記２枚の軟質プラスチックシート２ａ，２ｂの間に挟まれて、可撓性袋部材２に固定されている。排出用ポート３の可撓性袋部材２への固定は、例えば、上記２枚の軟質プラスチックシート２ａ，２ｂの間に排出用ポート３に配置して、軟質プラスチックシート２ａ，２ｂの外周縁部同士を熱接着させることで行える。
【００２０】
開口部４には、例えば、開口部４を横切って、開口部４を開閉自在とするジップ４ａ（再開閉自在とする係合部、別名「チャックシール」とも言う。）を備えている。ジップ４ａは、従来から公知の方法にて成形できる。
【００２１】
可撓性袋部材２の形状について特に制限はなく、例えば、長方形状、楕円形状等であってもよいが、医療用軟質容器１内の液状物等が排出用ポート３に向かって流入しやすいように、収容部２１の下側が排出用ポート３に向かって緩やかに傾斜していると好ましい。
【００２２】
２枚の軟質プラスチックシート２ａ，２ｂの主面の外側面の各々には、各々開閉操作部５ａ，５ｂが固定されている。開閉操作部５ａ，５ｂは、例えば、各々シート状物からなるが、軟質プラスチックシート２ａ，２ｂとの間に、開口部４の右側または左側から指を挿入するための貫通路７ａ，７ｂ（図２Ｂ参照）が形成されるように、各々軟質プラスチックシート２ａ，２ｂに固定されている。すなわち、開閉操作部５ａ，５ｂを構成するシート状物の中央部がたるむように、各シート状物の上縁部５１ａ，５２ａ及び下縁部５１ｂ，５２ｂが、各々軟質プラスチックシート２ａ，２ｂに固定されている。
【００２３】
このように、開口部４に開閉操作部５ａ，５ｂが固定されていると、片方の貫通路７ａに親指を、他方の貫通路７ｂに親指以外の指（例えば、人差し指）を挿入し、親指と人差し指とを各々遠ざけ、各々の指を開閉操作部５ａ，５ｂの内面に押し付けることにより、開口部４を構成する軟質プラスチックシート２ａ，２ｂを相互に引き離せば、図３に示されるように、開口部４が開口した状態を片手で維持できる。また、親指と人差し指は、貫通路７ａ，７ｂ（図２Ｂ参照）内に挿入されていることから、開口部４について開いた状態を安定かつ容易に維持できる。また、医療用軟質容器１を落としてしまったり、開口部４の開口状態が保持できなくて液状物をこぼしてしまったりする恐れが低減される。よって、医療用軟質容器１への液状物の注入作業中に作業者が受ける精神的及び肉体的な負担を低減できる。
【００２４】
開閉操作部５ａ，５ｂの固定位置は、開口部４について開口した状態を維持できれば特に制限はないが、開口部４がジップ４ａを備える場合、片手による開閉操作部５ａ，５ｂの操作によりジップ４ａの係合が解除可能であると好ましい。具体的には、例えば、貫通路７ａ，７ｂが、ジップ４ａの周囲に存在し、かつ、ジップ４ａの長手方向に沿って存在するように、開閉操作部５ａ，５ｂが各々軟質プラスチックシート２ａ，２ｂに固定されていると好ましい。即ち、１対の開閉操作部５ａ，５ｂは、各軟質プラスチックシート２ａ，２ｂとの間に、開口部４の右側または左側から指を挿入するための貫通路７ａ，７ｂを形成していると好ましい。より、具体的には、開閉操作部５ａ，５ｂの上縁部５１ａ，５２ａは、開口部４のうちのジップ４ａ等の係合部よりも上方において、下縁部５１ｂ、５２ｂはジップ４ａ等の係合部よりも下方において、各々軟質プラスチックシート２ａ，２ｂに固定されていると好ましい。
【００２５】
開閉操作部５ａ，５ｂの上下方向の幅Ｗ１（上縁部５１ａ，５２ａと下縁部５１ｂ、５２ｂとの間の距離、図２Ａ、図２Ｂ参照）は、指を挿入しやすく、片手による開閉操作部５ａ，５ｂの操作が可能であれば特に制限はない。
【００２６】
開閉操作部５ａ，５ｂの左右方向の幅Ｗ２（図２Ａ参照）は、片手による開閉操作部５ａ，５ｂの操作が可能であれば特に制限はないが、例えば、２０ｍｍ〜６０ｍｍであると好ましい。軟質プラスチックシート２ａ，２ｂとの接合面積を確保し易く、手の大小の如何にかかわらず開口部４の開口状態の維持が可能であるという観点からは、幅Ｗ２は、大きいと好ましい。一方、開口部４を構成する軟質プラスチックシート２ａ，２ｂに対して、これらを相互に引き離す力を効率的に作用させて、開口部４を大きく開口させ易いという観点から、幅Ｗ２は小さいと好ましい。
【００２７】
開口部４を開口させる操作の操作性を向上させる観点から、開閉操作部５ａ，５ｂの少なくとも一方には、その長手方向が上下方向に向いたスリット５ｃ等が形成されていると好ましく、開閉操作部５ａ，５ｂの両方に上記スリット５ｃが形成されているとより好ましい。開閉操作部５ａ，５ｂにスリットが形成されていると、例えば、開口部４を開口させる操作の際に、スリット５ｃ内に指を突っ込んで行えば、開口部４をより大きく開口させることが容易に行えるからである。また、同様の理由から、スリット５ｃは、開閉操作部５ａ，５ｂの、開口部４の幅方向の中央部に対応する位置、特には中央に対応する位置に形成されているとさらに好ましい。
【００２８】
尚、図２Ａに示された例では、スリット５ｃは、開口部４の幅方向に対して直交するように形成されているが、スリットの長手方向が上下方向に向いていれば、これに制限されず、スリットは左右の何れかに傾いていてもよい。１対の開閉操作部５ａ，５ｂは同一形状であってもよいが、相互に形状が異なっていてもよい。また、「開口部４を開口させる操作」とは、ジップ４ａ等によって開口部４が閉じられた状態を解除する操作のみならず、閉じられた状態が解除された開口部４を構成する軟質プラスチックシート２ａ，２ｂを相互に引き離す操作も含む。なお、ジップ４ａ等によって開口部４が閉じられた状態を解除してから、貫通路７ａ，７ｂに各々指を挿入し、開口部４を構成する軟質プラスチックシート２ａ，２ｂを相互に引き離す操作が行われることもある。よって、「開口部４を開口させる操作」とは、貫通路７ａ，７ｂに各々指を挿入し、開口部４を構成する軟質プラスチックシート２ａ，２ｂを相互に引き離す操作のみを意味する場合もある。
【００２９】
また、図２Ａに示された例のように、開口部４が左右対称な形状をしている場合、スリット５ｃは、開閉操作部５ａ，５ｂの、開口部４の幅方向の中央に対応する位置に形成され、かつ、その長手方向は、開口部４の幅方向と略直交していると、利き手の如何に関わらず操作性がかわらないという理由から、より好ましい。
【００３０】
スリット５ｃの数について、特に制限はないが、１つの開閉操作部に対して１つであってもよいが複数であってもよい。
【００３１】
開閉操作部５ａ，５ｂの軟質プラスチックシート２ａ，２ｂへの固定方法について特に制限はなく、例えば、接着剤による接着、熱接着（ヒートシール）等が挙げられるが、美観が良好で、簡便な熱接着が好ましい。開閉操作部５ａ，５ｂの軟質プラスチックシート２ａ，２ｂへの固定を熱接着により行う場合は、可撓性袋部材２の成形と同時に、開閉操作部５ａ，５ｂを軟質プラスチックシート２ａ，２ｂへ固定することもできる。
【００３２】
吊り下げ部６は、開口部４から延設されていてもよい。例えば、吊り下げ部６、開口部４及び収容部２１を構成する背面側の軟質プラスチックシートとが、１枚の軟質プラスチックシート２ｂによって形成されていてもよい。または、正面側の軟質プラスチックシートのうちの、ジップ等の係合部よりも上の部分であって、係合部よりも右側及び／又は左側の部分が、背面側の軟質プラスチックシートと熱接着されることにより吊り下げ部６の一部をなしていてもよい。また、吊り下げ部６は、開口部４への固定しろを有したシート片を、開口部４へ固定することにより形成されてもよい。吊り下げ部６は、積層構造をしていてもよい。すなわち、吊り下げ部６の一部と、開口部４の一部と、収容部２１の一部とが、１枚の軟質プラスチックシート２ｂからなり、当該吊り下げ部６の一部に、他のシートが積層されて補強されていてもよい。
【００３３】
図１及び図２Ａに示されるように、吊り下げ用穴６ａが、排出用ポート３の中心軸の延長線上にあり、排出用ポート３の中心軸が収容部２１の下部におおける収容部２１内を幅方向に２等分する垂直中心線の延長線と一致する場合は、収容部２１の正面に表示された目盛りによって、収容部２１内に収容された液状物の量を比較的正確に確認できる。
【００３４】
図４に示されるように、吊り下げ部６の開口部４との境界近傍は、外側に折り曲げ容易、かつ、その状態を保持可能であると好ましい。この場合、液状物の収容部２１への注入がより行いやすくなり好ましい。吊り下げ部６を、外側に折り曲げ容易、かつ、その状態を保持可能とするためには、例えば、吊り下げ部６を、開口部４を構成する軟質プラスチックシートよりも硬くすればよい。
【００３５】
図５は、開口部４を開口させた状態で医療用軟質容器１を片手で保持しながら、液状物を収容部２１内に注ぐ操作の様子を示している。医療用軟質容器１の正面は、作業者に面しており、医療用軟質容器１を保持している左手と、液状物が入った注入用の容器３０を持つ右手（図示せず）は相互に対向している。そのため、液状物の注入の最中に目盛り２ｃが見やすく、かつ、医療用軟質容器１への液状物の注入が行い易い。尚、図５に示された様子は、作業者の利き手が右手である場合を示している。
【００３６】
液状物の注入後は、開口部４を、ジップ等の係合部により閉じる。このようにして液状物が充填された医療用軟質容器１を、開口部４よりも上方に配置された吊り下げ部６の吊り下げ用穴６ａを利用してスタンドなどに吊り下げると、排出用ポート３が、例えば、最下方に位置するので、患者等に液状物を最後までスムーズに供給できる。
【００３７】
図６に示されるように、本発明の医療用軟質容器の一例は、例えば、経腸栄養供給システム５０等の栄養供給システムの構成部品として使用される。経腸栄養供給システム５０は、例えば、排出用ポート３に接続された可撓性チューブ５１と、可撓性チューブ５１を押圧して可撓性チューブ５１内を流れる液状物の流量を調節するための流量調整器５２、点滴筒５３、コネクタ５４、コネクタカバー５５等を含む。しかし、本発明の経腸栄養供給システムは、図６に示された構成に限定されるものではなく、従来公知の経腸栄養供給システムが備える構成部品をさらに含んでいてもよい。
【００３８】
収容部２１を構成する軟質プラスチックシート２ａ，２ｂの材料について特に制限はなく、医療用軟質容器に用いられる、従来公知の軟質プラスチックシートが使用できる。具体的には、例えば、塩化ビニル樹脂、ポリエチレン、エチレン−酢酸ビニル共重合体、ポリエステル、ポリブタジエン、ポリプロピレン、ポリアミド、エチレン−メタクリレート共重合体等からなる単層シート、又は上記単層シートが積層された積層シートが挙げられる。積層シートの具体的層構成としては、例えば、ナイロン／ポリエチレン、ナイロン／ポリプロピレン，ポリエチレンテレフタレート／ポリエチレン、ポリエチレンテレフタレート／ポリプロピレン，ポリプロピレン／ポリエチレン、ナイロン／ポリプロピレン／ポリエチレン等が挙げられる。軟質プラスチックシートの厚さは、例えば、０．１〜０．６ｍｍ程度である。
【００３９】
排出用ポート３の材料としては、環状ポリオレフィン、ポリカーボネート、ポリエチレンテレフタレート、ポリプロピレン、ポリエチレンナフタレート等が挙げられる。
【００４０】
開閉操作部５ａ，５ｂの材料としては、例えば、収容部２１を構成する上記軟質プラスチックシート２ａ，２ｂの材料と同じ材料が挙げられる。
【００４１】
尚、図１〜図５を用いて説明した本発明の医療用軟質容器の一例では、軟質プラスチックシート２ａのみに液状物の量を示す目盛りが表示されているが、目盛りは、プラスチックシート２ｂにも表示されていてもよい。この場合、作業者の利き手の如何にかかわらず、液状物の注入の最中に目盛りを見ながら、医療用軟質容器１への液状物の注入が安定して行える。なお、図１〜図５を用いて説明した本発明の医療用軟質容器の一例では、軟質プラスチックシート２ａ、２ｂの両方に目盛り２ｃが表示されている場合、いずれの軟質プラスチックシートの主面を正面と称してもよい。
【００４２】
また、図１〜図５を用いて説明した本発明の医療用軟質容器の一例では、開口部４の開閉を可能とする手段が、ジップ（チャックシール）等の係合部であるが、開閉操作部５ａ，５ｂによる開口部の開口操作、開口状態の維持、及び液状物の収容部への注入操作性が妨げられない限り、開閉手段は従来から公知の他の開閉手段であってもよい。また、図１〜図５を用いて説明した本発明の医療用軟質容器の一例では、可撓性袋部材２が、２枚の軟質プラスチックシート２ａ，２ｂを用いて形成されているが、可撓性袋部材２は、少なくとも２枚の軟質プラスチックシートが貼りあわされることにより形成されていればよく、例えば、開口部４の強度を高めるべく、可撓性袋部材２の形成のために、軟質プラスチックシート２ａ，２ｂとは別に、開口部４を補強する軟質プラスチックシートが更に用いられてもよいし、吊り下げ部６を形成するべく軟質プラスチックシートが更に用いられてもよい。
【００４３】
（実施形態２）
図７は本発明の実施形態２の医療用軟質容器の一例の斜視図であり、図８は、図７に示した医療用軟質容器の他の斜視図である。
【００４４】
本実施形態の医療用軟質容器１０は、吊り下げ部６の位置、排出用ポート３の位置、目盛り２ｃの角度が異なること以外は実施形態１の医療用軟質容器と同様の構成している。図７及び図８において、同一名称の部材については，実施形態１の医療用軟質容器の場合と同一の符号を付している。
【００４５】
図７に示されるように、本実施形態の医療用軟質容器１０では、吊り下げ用穴６ａが開口部４の右側に形成されており、開口部４の上方には吊り下げ部がない。そのため、開口部４の上方に吊り下げ部６を有する実施形態１の医療用軟質容器よりも、液状物の収容部２１への注入が容易であり、かつ、生産性が良好である点で好ましい。
【００４６】
（実施形態３）
図９は本発明の実施形態３の医療用軟質容器の一例の斜視図である。
【００４７】
本実施形態の医療用軟質容器１１は、排出用ポート３に接続された可撓性チューブ（図示せず）等の送液回路を挿入可能とする、回路一時保持穴８を有していること、及び開閉操作部の幅Ｗ２（図２Ａ参照）が狭いこと、開閉操作部にスリットが形成されていないこと以外は実施形態１の医療用軟質容器１と同様の構成している。図９において、同一名称の部材については，実施形態１の医療用軟質容器の場合と同一の符号を付している。
【００４８】
医療用軟質容器１１の回路一時保持穴８に、例えば、折り曲げた可撓性チューブを挿入すれば、医療用軟質容器１１をスタンドに吊るす際や、医療用軟質容器１１の収容部２１に液状物を充填する際等に、経腸栄養供給システムの下流側を構成する部品（例えば、コネクタ５４、コネクタカバー５５等、図６参照）が床に付くことを防止できる。
【００４９】
（実施形態４）
図１０は、本発明の実施形態４の医療用軟質容器の一例の斜視図であり、図１１Ａは、図１０に示された医療用軟質容器の正面図であり、図１１Ｂは、図１０に示された医療用軟質容器の側面図であり、図１１Ｃは、図１０に示された医療用軟質容器の背面図である。
【００５０】
本実施形態の医療用軟質容器１２は、開閉操作部５ｂの上縁部５２ａの固定位置、吊り下げ用孔６ａの形状、開閉操作部５ａ，５ｂの左右方向の幅Ｗ２（図２Ａ参照）がより小さいこと、開閉操作部５ａにスリット５ｃ（図１参照）に代えて左右方向に所定の幅を有した孔５ｄが形成されていること、及び軟質プラスチックシート２ａ、２ｂの両方に目盛り２ｃが表示されていること以外は実施形態１の医療用軟質容器と同様の構成している。図１０〜図１２において、同一名称の部材については、実施形態１の医療用軟質容器の場合と同一の符号を付している。
【００５１】
図１１Ｂ及び図１１Ｃに示されるように、本実施形態の医療用軟質容器１２では、開閉操作部５ｂの上縁部５２ａが吊り下げ部６の背面に固定されているので、図１２に示されるように、医療用軟質容器１２を片手で把持し、その開口部４を開口させた時に、吊り下げ部６が開閉操作部５ｂによって下方に引っ張られる。故に、医療用軟質容器１２では、貫通路７ａ，７ｂに各々指を挿入し、開口部４を構成する軟質プラスチックシート２ａ，２ｂを相互に引き離せば、おのずと吊り下げ部６が開口部４の外側に倒れ、且つ、その状態を保持できる。よって、医療用軟質容器１２では、液状物の収容部２１への注入がより行いやすくなり、好ましい。
【００５２】
開閉操作部５ｂの上縁部５２ａの固定位置については、開閉操作部５ｂにより吊り下げ部６が効果的に下方に引っ張られる限り特に制限はないが、貫通路７ａ，７ｂに各々指を挿入し、開口部４を構成する軟質プラスチックシート２ａ，２ｂを相互に引き離した際に吊り下げ部６が開口部４の外側に倒れやすいという理由から、図１１Ｃに示されるように、吊り下げ部６の基端から上縁部５２ａ迄の距離Ｗ３が１５ｍｍ以上である好ましい。
【００５３】
（実施形態５）
図１３は、本発明の実施形態５の医療用軟質容器の一例の斜視図であり、図１４Ａは、図１３に示された医療用軟質容器の正面図であり、図１４Ｂは、図１３に示された医療用軟質容器の側面図である。
【００５４】
本実施形態の医療用軟質容器１３は、開口部４の形状、吊り下げ用孔６ａの形状、開閉操作部５ａ、５ｂにスリット５ｃ（図１参照）が形成されていないこと、及び、開閉操作部５ａ、５ｂの左右方向の幅Ｗ２（図２Ａ参照）がより小さいこと以外は実施形態１の医療用軟質容器と同様の構成している。図１３〜図１５において、同一名称の部材については，実施形態１の医療用軟質容器の場合と同一の符号を付している。
【００５５】
本実施形態の医療用軟質容器１３では、開口部４がその両側部にまち（脇まち）４１ａ，４１ｂを有していることから、図１５に示されるように、医療用軟質容器１３を片手で把持し、その開口部４を開口させた時に、開口部４を大きく開くことできる。故に、医療用軟質容器１３では、液状物の収容部２１への注入がより行いやすくなり、好ましい。開口部４が開口されていないとき、まち４１ａ，４１ｂは、各々、折りたたまれて、軟質プラスチックシート２ａ，２ｂの間に挟まれている。図１４Ａに示された例では、開口部４が開口されていないときに、医療用軟質容器１３を正面から見た場合に見える、まち４１ａ，４１ｂの形状は、三角形であり、折り目４１１ａ，４１１ｂが１つ（図１５参照）であるが、折りたたまれたまち４１ａ，４１ｂの平面形状は、三角形に限定されず四角形でもよいし、折り目も一つ以上又は複数であってもよい。
【００５６】
（実施形態６）
図１６Ａは、本発明の実施形態６の医療用軟質容器の一例の斜視図であり、図１６Ｂは、図１６Ａに示された医療用軟質容器の開口部を開口させた状態における開口部を説明する模式平面図であり、図１７Ａは、図１６Ａに示された医療用軟質容器の正面図であり、図１７Ｂは、図Ａ１６に示された医療用軟質容器の側面図である。
【００５７】
本実施形態の医療用軟質容器１４は、吊り下げ用孔６ａの形状、開閉操作部５ａ，５ｂの形状、及び、開閉操作部５ａ，５ｂにスリット５ｃ（図１参照）が形成されていないこと以外は実施形態１の医療用軟質容器１と同様の構成している。図１６Ａ〜図１７Ｂにおいて、同一名称の部材については，実施形態１の医療用軟質容器の場合と同一の符号を付している。
【００５８】
本実施形態の医療用軟質容器１４では、開閉操作部５ａ，５ｂの上縁部５１ａ，５２ａにおける左右方向の幅Ｗ２uが、例えば、実施形態１の医療用軟質容器１のそれより大きく、且つ、開閉操作部５ａ，５ｂの幅が下方に向かって漸次狭くなっている。この場合、軟質プラスチックシート２ａ，２ｂが相互に離れるように、開閉操作部５ａ，５ｂによってプラスチックシート２ａ，２ｂを引っ張ると、開口部４の左縁部付近４２ｂおよび右縁部付近４２ａには、上記中央部４２ｃ側（例えば、矢印Ｙの方向）へ引っ張られる強い力が作用する。一方、開口部４の中央部４２ｃは、左縁部付近４２ｂおよび右縁部付近４２ａが矢印Ｙへ引っ張られる結果、軟質プラスチックシート２ａ，２ｂの距離が最も離れた箇所及びその近傍となり、しかも中央部４２ｃにおける軟質プラスチックシート２ａ，２ｂの外形は、図１６Ｂに示されるように、自然なカーブを有する円弧状となり、例えば、開閉操作部５ａ，５ｂの幅が上下方向に一定であり、その幅が図１６Ａに示した医療用軟質容器１４の開閉操作部５ａ，５ｂの上縁部５１ａ，５２ａにおける幅Ｗ２uと等しい医療用軟質容器よりも、中央部４２ｃにおける２枚のシート間の距離は大きくなる。また、開口部４が開口した状態の外形は、円または楕円に似た形状である。このように、医療用軟質容器１４では、開口部４を大きく開くことができ、また、開口部４が開口した状態の外形も、液状物を注ぎやすい形状であり、好ましい。尚、幅Ｗ２uが上下方向に一定でない場合は、最大幅をＷ２uとする。
【００５９】
尚、１対の開閉操作部５ａ，５ｂのうちの一方のみについて、開閉操作部５ａ，５ｂの上縁部５１ａ，５２ａにおける左右方向の幅Ｗ２uが、例えば、実施形態１の医療用軟質容器１のそれより大きく、且つ、開閉操作部５ａ，５ｂの幅が下方に向かって漸次狭くなっていてもよい。この場合も、開口部４を大きく開くことができ好ましい。
【００６０】
幅Ｗ２uの開口部４の幅（熱接着された部分の幅は含まれない。）Ｗ４に対する比（Ｗ２u／Ｗ４）と、幅Ｗ２uの開閉操作部５ａ，５ｂの下縁部５１ｂ，５２ｂにおける左右方向の幅Ｗ２d（上縁部５１ａ，５２ａに近い側の辺の長さ）に対する比（Ｗ２u／Ｗ２d）は、開口部４を大きく開くことができるという理由から、各々、５／１０〜１０／１０（＝（Ｗ２u／Ｗ４））、１０／３〜１０／７（＝（Ｗ２u／Ｗ２d））が好ましく、より好ましくは６／１０〜８／１０、１０／４〜１０／６である。幅Ｗ２uの長さは、操作者の手の大きさに応じて異なるが、例えば、５〜９ｃｍが好ましく、より好ましくは６〜８ｃｍである。
【００６１】
尚、図１６Ａ〜図１７Ｂを用いて説明した例では、開口部４および開閉操作部５ａ，５ｂは、排出用ポート３の中心軸の延長線を対称軸として左右対称な形状をしているので、利き手の如何に関わらず操作性がかわらないという理由から、より好ましい。しかし、本実施形態の医療用軟質容器１４では、これに限定されず、例えば、図１８に示されるように、開閉操作部５ａ，５ｂは、各々非対称な形状であってもよい。
【００６２】
（実施形態７）
図１９は、本発明の実施形態７の医療用軟質容器の一例の斜視図であり、図２０Ａは、図１９に示された医療用軟質容器の正面図であり、図２０Ｂは、図１９に示された医療用軟質容器の側面図であり、図２１は、図１９に示された医療用軟質容器を片手で把持し、その開口部を開口させた状態を示した図である。
【００６３】
本実施形態の医療用軟質容器１５は、開口部４の形状、および、開閉操作部５ａ，５ｂの形状以外は実施形態５の医療用軟質容器と同様の構成している。図１９〜図２１において、同一名称の部材については，実施形態５の医療用軟質容器の場合と同一の符号を付している。
【００６４】
本実施形態の医療用軟質容器１５では、実施形態５の医療用軟質容器と同様に、開口部４がその両側部にまち（脇まち）４１ａ，４１ｂを有している。図２１に示されているように、一方のまち４１ｂの収容部２１内に面する面４１１ｄの面積の方が、他方のまち４１ａの収容部２１内に面する面４１１ｃの面積よりも小さい。そのため、例えば、指が短い人でも、まち４１ｂ側（開口部４の左側）から、貫通路７ａ，７ｂに各々指を挿入してまち４１ｂを操作者の手のひらの近くに配置した状態で、プラスチックシート２ａ，２ｂを相互に引き離す操作を行えば、医療用軟質容器１５のまち４１ａ側において、軟質プラスチックシート２ａ，２ｂを相互に引き離す力を効率的に作用させることができる。故に、医療用軟質容器１５は、指の長さの長短にかかわらず、大きな開口を確保でき、液状物の注入操作が行い易く、好ましい。
【００６５】
ところで、収納部２１内に液状物を注ぐ際、開口のうちの、２枚の軟質プラスチックシート２ａ，２ｂ間の距離が最も離れた箇所及びその近傍に、液状物が入った容器の注ぎ口を位置させた状態で液状物を注入すると、注入作業が行い易い。しかし、注ぎ口の位置が医療用軟質容器を持つ手に近いと、液状物を注ぎにくい。
【００６６】
図２１に示されるように、医療用軟質容器１５では、面４１１ｄの面積よりも、面４１１ｃの面積の方が大きいので、開口部４の幅方向のうち、医療用軟質容器１５を持つ手に近いまち４１ｂ側よりも、医療用軟質容器１５を持つ手から遠いまち４１ａ側の方が、軟質プラスチックシート２ａ，２ｂ間の距離が大きくなるように、開口部４を開口させることができる。故に、医療用軟質容器１５では、医療用軟質容器を持つ手から遠いまち４１ａの近傍に液状物が入った容器の注ぎ口を位置させることで、液状物の注入操作を容易に行える。
【００６７】
医療用軟質容器１５では、実施形態６の医療用軟質容器１４と同様に、開閉操作部５ａ，５ｂの上縁部における左右方向の幅Ｗ２uが、例えば、実施形態１の医療用軟質容器１のそれより大きく、且つ、開閉操作部５ａ，５ｂの幅は、下方に向かって漸次狭くなっている。医療用軟質容器１５では、幅Ｗ２uの幅は、開口部４における未接着部分の幅Ｗ４とほぼ等しい。このように、幅Ｗ２uが大きいと、指が短い人でも、医療用軟質容器１５の４１ａ側（手の平から遠い側）において軟質プラスチックシート２ａ，２ｂ間の距離が大きくなるように、開口部４を開口させることがより容易に行えるので、好ましい。
【００６８】
尚、図２１に示された様子は、作業者の利き手が右手であり左手で医療用軟質容器１５を持つ場合を示している。しかし、軟質プラスチックシート２ａ、２ｂの両方に目盛り２ｃが表示されていれば、作業者の利き手の如何にかかわらず、液状物の注入の最中に目盛りを見ながら、医療用軟質容器１５の液状物の注入が安定して行える。
【００６９】
（実施形態８）
図２２は、本発明の実施形態８の医療用軟質容器の一例の斜視図であり、図２３Ａは、図２２に示された医療用軟質容器の正面図であり、図２３Ｂは、図２２に示された医療用軟質容器の側面図であり、図２３Ｃは、図２２に示された医療用軟質容器の背面図である。
【００７０】
本実施形態の医療用軟質容器１６は、可撓性袋部材２の上部および開口部４の形状、および、吊り下げ用孔６ａの形状が丸ではなく三角であること、開閉操作部５ａに孔が形成されていないこと以外は実施形態４の医療用軟質容器と同様の構成している。図２２〜図２３Ｃにおいて、同一名称の部材については，実施形態４の医療用軟質容器の場合と同一の符号を付している。
【００７１】
図２３Ａおよび図２３Ｃに示されるように、本実施形態の医療用軟質容器１６では、可撓性袋部材２のうちの、１対の開閉操作部５ａ、５ｂと上下方向同位置の部分において、各開閉操作部５ａ，５ｂから可撓性袋部材２の一方の側縁２２ｂまでの長さＷ６、Ｗ８の方が、可撓性袋部材２の他方の側縁２２ａまでの長さＷ７、Ｗ９よりも短い。そのため、開閉操作部５ａ，５ｂまでの距離が短い可撓性袋部材２の側縁側から（図２３Ａにおいては、開口部４の左側から）貫通路７ａ、７ｂに指を各々挿入し、軟質プラスチックシート２ａ，２ｂが相互に離れるように、指を各開閉操作部５ａ，５ｂの内面に押し付ければ、指が短い人でも、軟質プラスチックシート２ａ，２ｂ間の距離が大きくなるように、開口部４を開口させることがより容易に行える。
【００７２】
このように、可撓性袋部材２の形状が左右非対称である場合、吊り下げ用穴６ａは、上記延長線４０上にあると好ましい。この場合、医療用軟質容器１６をスタンド等に吊るしたときに、収容部２１の正面に表示された目盛りによって、収容部２１内に収容された液状物の量を比較的正確に確認できる。
【００７３】
また、上記延長線４０は、各開閉操作部５ａ，５ｂを幅方向に２等分する中心線でもあるので、手で医療用軟質容器１６を支えながら液状物を医療用軟質容器１６内に注入する操作の安定性が高い。
【００７４】
尚、各開閉操作部５ａ，５ｂを幅方向に２等分する中心線と、上記延長線４０とは必ずしも一致していなくてもよい。
【００７５】
（実施形態９）
図２４は、本発明の実施形態９の医療用軟質容器の一例の斜視図であり、図２５Ａは、図２４に示された医療用軟質容器の正面図であり、図２５Ｂは、図２４に示された医療用軟質容器の側面図である。
【００７６】
本実施形態の医療用軟質容器１７は、可撓性袋部材２の上部および開口部４の形状、および、開閉操作部５ａ、５ｂの取り付け位置および形状以外は実施形態８の医療用軟質容器と同様の構成している。図２４〜図２５Ｂにおいて、同一名称の部材については，実施形態８の医療用軟質容器の場合と同一の符号を付している。
【００７７】
医療用軟質容器１７は、可撓性袋部材２の幅が、可撓性袋部材２の上端部から下方に向かって漸次狭くなった部分Ａ、部分Ａよりも下方に配置され、開閉操作部５ａ、５ｂよりも下方の所定の箇所から可撓性袋部材２の上端部における幅とほぼ等しくなるまで漸次広くなった部分Ｂ、部分Ｂよりも下方に配置され、その幅が上下方向にほぼ一定であり可撓性袋部材２の上端部における幅と等しい部分Ｃとからなる。
【００７８】
医療用軟質容器１７は、実施形態８の医療用軟質容器１６よりも可撓性袋部材２の上端部における幅が広いので、液状物の収納部２１への注入が行い易い。また、医療用軟質容器１７では、手が小さい人および／または指が短い人でも、開口部４の開口操作が行い易いように、部分Ａのうちの可撓性袋部材２の幅がある程度狭くなった箇所に開閉操作部５ａ，５ｂが固定されている。具体的には、開閉操作部５ａ，５ｂの下縁部５１ｂ、５２ｂのみならず上縁部５１ａ，５２ａも、ジップ４ａ等の係合部よりも下方において、各々軟質プラスチックシート２ａ，２ｂに固定されている。
【００７９】
本実施形態の医療用軟質容器において、ジップ４ａと開閉操作部５ａ，５ｂとの位置関係については、開口部４の開口操作が容易に行える限り、図２４〜図２５Ｂに記載された例に限定されない。
【００８０】
尚、実施形態１〜９の医療用軟質容器を例に挙げて本発明の医療用軟質容器を説明したが、各実施形態の医療用軟質容器の吊り下げ用穴６ａの形状は、図示された形状に限定されない。
【産業上の利用可能性】
【００８１】
本発明では、経腸栄養法のみならず静脈栄養法においても好適に使用される医療用軟質容器及びそれを用いた栄養供給システムを提供できる。
【符号の説明】
【００８２】
１，１０〜１７        医療用軟質容器
２                    可撓性袋部材
２ａ，２ｂ            軟質プラスチックシート
２ｃ                  目盛り
３                    排出用ポート
４                    開口部
４１ａ，４１ｂ        まち
４１１ｄ              一方のまちの収容部内に面する面
４１１ｃ              他方のまちの収容部内に面する面
５ａ，５ｂ            開閉操作部
５ｃ                  スリット
５ｄ                  孔
５１ａ，５２ａ        開閉操作部の上縁部
５１ｂ、５２ｂ        開閉操作部の下縁部
６                    吊り下げ部
６ａ                  吊り下げ用穴
７ａ，７ｂ            貫通路
８                    回路一時保持穴
２１                  収容部
２２ａ                可撓性袋部材の他方の側縁
２２ｂ                可撓性袋部材の一方の側縁
５０                  経腸栄養供給システム
【図１】
2014094294.tif 000003
【図２Ａ】
2014094294.tif 000004
【図２Ｂ】
2014094294.tif 000005
【図３】
2014094294.tif 000006
【図４】
2014094294.tif 000007
【図５】
2014094294.tif 000008
【図６】
2014094294.tif 000009
【図７】
2014094294.tif 000010
【図８】
2014094294.tif 000011
【図９】
2014094294.tif 000012
【図１０】
2014094294.tif 000013
【図１１Ａ】
2014094294.tif 000014
【図１１Ｂ】
2014094294.tif 000015
【図１１Ｃ】
2014094294.tif 000016
【図１２】
2014094294.tif 000017
【図１３】
2014094294.tif 000018
【図１４Ａ】
2014094294.tif 000019
【図１４Ｂ】
2014094294.tif 000020
【図１５】
2014094294.tif 000021
【図１６Ａ】
2014094294.tif 000022
【図１６Ｂ】
2014094294.tif 000023
【図１７Ａ】
2014094294.tif 000024
【図１７Ｂ】
2014094294.tif 000025
【図１８】
2014094294.tif 000026
【図１９】
2014094294.tif 000027
【図２０Ａ】
2014094294.tif 000028
【図２０Ｂ】
2014094294.tif 000029
【図２１】
2014094294.tif 000030
【図２２】
2014094294.tif 000031
【図２３Ａ】
2014094294.tif 000032
【図２３Ｂ】
2014094294.tif 000033
【図２３Ｃ】
2014094294.tif 000034
【図２４】
2014094294.tif 000035
【図２５Ａ】
2014094294.tif 000036
【図２５Ｂ】
2014094294.tif 000037
【図２６】
2014094294.tif 000038
【図２７】
2014094294.tif 000039
【図２８】
2014094294.tif 000040
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
少なくとも２枚の軟質プラスチックシートが貼りあわされることにより形成され、開閉式の開口部と、液状物を収容するための収容部とを含み、少なくとも一方の主面に液状物の量を示す目盛りが表示された可撓性袋部材と、
前記可撓性袋部材に固定された排出用ポートと、
前記可撓性袋部材の両主面の各々に前記可撓性袋部材の右側または左側から片手の指を挿入するための１対の開閉操作部を含み、前記開閉操作部に挿入した片手の指を開くことにより前記開口部の開口状態を維持でき、
前記可撓性袋部材の両側部のうちの前記片手の指が挿入される側の側部の辺が曲がることによって前記可撓性袋部材の前記開口部の幅が前記収容部の幅よりも狭くなっていることを特徴とする医療用軟質容器。
【請求項２】
前記可撓性袋部材は、前記２枚の軟質プラスチックシートとは別に、開口部の強度を高めるための軟質プラスチックシートにより補強されている請求項１に記載の医療用軟質容器。
【請求項３】
前記開口部には、開口部を横切って開閉自在とするジップが備えられている請求項１または２に記載の医療用軟質容器。
【請求項４】
前記可撓性袋部材の両側部のうちの前記片手の指が挿入される側とは反対側の側部の辺は直線である請求項１〜３のいずれかの項に記載の医療用軟質容器。
【請求項５】
前記可撓性袋部材は、前記開口部よりも上方に配置され、吊り下げ用穴が形成された吊り下げ部をさらに含む請求項１〜４のいずれかの項に記載の医療用軟質容器。
【請求項６】
前記開閉操作部は、各々、前記開口部に固定されている請求項１〜５のいずれかの項に記載の医療用軟質容器。
【請求項７】
請求項１〜６のいずれかの項に記載の医療用軟質容器を含む栄養供給システム。
【手続補正２】
【補正対象書類名】明細書
【補正対象項目名】０００４
【補正方法】変更
【補正の内容】
【０００４】
図２６は、従来の下記特許文献１に開示されている医療用軟質容器の一例の概略構成を示した斜視図であり、図２７は、図２６に示した医療用軟質容器の開口部を片手で把持しつつ、がま口状に開封した様子を示した図であり、図２８は、図２６に示した医療用軟質容器内に液状物を注いでいる様子を示した側面図である。
【手続補正３】
【補正対象書類名】明細書
【補正対象項目名】００１１
【補正方法】変更
【補正の内容】
【００１１】
本発明の医療用軟質容器は、少なくとも２枚の軟質プラスチックシートが貼りあわされることにより形成され、開閉式の開口部と、液状物を収容するための収容部とを含み、少なくとも一方の主面に液状物の量を示す目盛りが表示された可撓性袋部材と、前記可撓性袋部材に固定された排出用ポートと、前記可撓性袋部材の両主面の各々に前記可撓性袋部材の右側または左側から片手の指を挿入するための１対の開閉操作部を含み、前記開閉操作部に挿入した片手の指を開くことにより前記開口部の開口状態を維持でき、前記可撓性袋部材の両側部のうちの前記片手の指が挿入される側の側部の辺が曲がることによって前記可撓性袋部材の前記開口部の幅が前記収容部の幅よりも狭くなっていることを特徴とする。
【手続補正４】
【補正対象書類名】明細書
【補正対象項目名】００１３
【補正方法】変更
【補正の内容】
【００１３】
本発明の医療用軟質容器は、可撓性袋部材の両主面の各々に前記可撓性袋部材の右側または左側から片手の指を挿入するための１対の開閉操作部を含み、前記開閉操作部に挿入した片手の指を開くことにより前記開口部の開口状態を維持でき、前記可撓性袋部材の両側部のうちの前記片手の指が挿入される側の側部の辺が曲がることによって前記可撓性袋部材の前記開口部の幅が前記収容部の幅よりも狭くなっているので、空の医療用軟質容器への液状物の注入が行い易く、しかも液状物の注入の最中に目盛りが見やすい。